(57)【要約】【課題】  着脱可能外部記憶装置にログ情報を採取することが可能な画像形成装置および画像形成装置におけるログ情報収集方法を提供する。【解決手段】  画像形成装置１０は、外部記憶装置Ｉ／Ｆ１４において、外部記憶装置２０の接続を検出すると、ログ採取プログラム１３６を起動し、ログ採取条件管理テーブル１３１に基づいて画像形成装置１０の稼動記録情報をログデータ２１として、外部記憶装置２０に記録し、記録したログデータ２１がログ削除実施条件１３２に設定されたしきい値を超えた場合、ログ削除条件管理テーブル１３８のログ削除条件に基づいてログデータ２１を削除する。また、データ圧縮プログラム１３７を有する場合は、ログデータ圧縮基準値１３９に設定された単位でログデータ２１を圧縮する。【選択図】  図１
2006094174.tif 000002
【特許請求の範囲】
【請求項１】
外部記憶装置を接続可能な外部装置接続手段を有する画像形成装置において、
前記外部装置接続手段に前記外部記憶装置が接続されているかを検出する検出手段と、
前記検出手段により前記外部記憶装置が接続されていると検出された場合に、該画像形成装置の使用状況、使用履歴等のログ情報を前記外部記憶装置で収集するログ情報収集手段と
を具備することを特徴とする画像形成装置。
【請求項２】
前記ログ情報収集手段によるログ情報の収集条件を設定する収集条件設定手段
を更に具備し、
前記ログ情報収集手段は、
前記収集条件設定手段で設定された収集条件に基づき前記ログ情報を前記外部記憶装置で収集する
ことを特徴とする請求項１記載の画像形成装置。
【請求項３】
前記収集条件設定手段で設定された前記ログ情報の収集条件は、
前記外部記憶装置内に記憶される
ことを特徴とする請求項２記載の画像形成装置。
【請求項４】
前記収集条件設定手段で設定された前記ログ情報の収集条件は、
前記画像形成装置の状態に対応して設定される
ことを特徴とする請求項２または３記載の画像形成装置。
【請求項５】
前記収集条件設定手段で設定された前記ログ情報の収集条件は、
前記ログ情報の収集開始および終了の時期に関する条件、収集するログ情報のデータ量に関する条件、収集するログ情報の種類に関する条件、収集したログ情報の圧縮に関する条件の中の少なくとも１つを含む
ことを特徴とする請求項１乃至４のいずれかに記載の画像形成装置。
【請求項６】
外部記憶装置を接続可能な外部装置接続手段を有する画像形成装置のログ情報収集方法において、
前記外部装置接続手段に前記外部記憶装置が接続されているかを検出手段により検出し、
前記検出手段により前記外部記憶装置が接続されていると検出された場合に、該画像形成装置の使用状況、使用履歴等のログ情報をログ情報収集手段により前記外部記憶装置で収集する
ことを特徴とする画像形成装置のログ情報収集方法。
【発明の詳細な説明】
【技術分野】
【０００１】
本発明は、画像形成装置および画像形成装置のログ情報収集方法に関し、特に、着脱可能な外部記憶装置にてログを採取する画像形成装置および画像形成装置におけるログ採取方法に関する。
【背景技術】
【０００２】
従来の画像形成装置におけるログ採取の記述として、メモリの容量が少ない場合に、ログ情報が十分に採取できないといった問題がある。
【０００３】
この問題を解決するための技術として、特許文献１の「端末装置」が開示されている。
【０００４】
この特許文献１の発明は、画像形成装置の使用状況の履歴をログ情報として採取し、ネットワーク接続された所定のＰＣに転送するものである。
【特許文献１】特開２０００−１３２３５７号公報。
【発明の開示】
【発明が解決しようとする課題】
【０００５】
ところで、上記のログ採取方法は、ネットワーク環境で使用される画像形成装置においては有効であるが、低コストのネットワーク接続機能を持たないスタンドアロンで稼動する画像形成装置には適用できないといった問題がある。
【０００６】
よって、本発明では、着脱可能な外部記憶装置にログ情報を採取することが可能な画像形成装置および画像形成装置のログ情報収集方法の提供を目的とする。
【課題を解決するための手段】
【０００７】
上記目的を達成するために、請求項１の発明は、外部記憶装置を接続可能な外部装置接続手段を有する画像形成装置において、外部装置接続手段に外部記憶装置が接続されているかを検出する検出手段と、検出手段により外部記憶装置が接続されていると検出された場合に、該画像形成装置の使用状況、使用履歴等のログ情報を外部記憶装置で収集するログ情報収集手段とを具備することを特徴とする。
【０００８】
また、請求項２の発明は、請求項１の発明において、ログ情報収集手段によるログ情報の収集条件を設定する収集条件設定手段を更に具備し、ログ情報収集手段は、収集条件設定手段で設定された収集条件に基づきログ情報を外部記憶装置で収集することを特徴とする。
【０００９】
また、請求項３の発明は、請求項２の発明において、収集条件設定手段で設定されたログ情報の収集条件は、外部記憶装置内に記憶されることを特徴とする。
【００１０】
また、請求項４の発明は、請求項２または３の発明において、収集条件設定手段で設定されたログ情報の収集条件は、画像形成装置の状態に対応して設定されることを特徴とする。
【００１１】
また、請求項５の発明は、請求項１乃至４のいずれかの発明において、収集条件設定手段で設定されたログ情報の収集条件は、ログ情報の収集開始および終了の時期に関する条件、収集するログ情報のデータ量に関する条件、収集するログ情報の種類に関する条件、収集したログ情報の圧縮に関する条件の中の少なくとも１つを含むことを特徴とする。
【００１２】
また、請求項６の発明は、外部記憶装置を接続可能な外部装置接続手段を有する画像形成装置のログ情報収集方法において、外部装置接続手段に外部記憶装置が接続されているかを検出手段により検出し、検出手段により外部記憶装置が接続されていると検出された場合に、該画像形成装置の使用状況、使用履歴等のログ情報をログ情報収集手段により外部記憶装置で収集することを特徴とする。
【発明の効果】
【００１３】
本発明の画像形成装置の稼動記録装置およびログ情報収集方法によれば、ログ情報を着脱可能な外部記憶装置に記録する構成としているため、画像形成装置本体のメモリ容量が少ない場合や、ネットワーク接続等の稼動形態に依存せずにログ情報を採取することができる。
【００１４】
これによりログ情報の上書き等によるログの採取漏れを無くし、多くの情報をログとして採取することができる。
【００１５】
また、ログ収集条件に基づいてログ情報を採取するのみならず、一定のログ採取量を超過した場合は、所定の削除条件にて既存のログレコードを削除し、さらには、特定の連続したエラーに対しては、ログ採取を必要回数以上実施しない構成としたので、ログ採取用のメモリ容量を有効利用して無駄なログ採取を防止することができる。
【００１６】
これによりエラー解析においては、必要な情報を効率よく特定して解析時間を短縮するといった効果が得られる。
【発明を実施するための最良の形態】
【００１７】
本発明の画像形成装置および画像形成装置のログ情報収集方法に関する実施の形態について添付図面を参照しながら説明する。
【実施例１】
【００１８】
（ログレコード数が所定のしきい値を超過した場合に、削除条件の優先順位に基づいて既存のログレコードを削除する）
（実施例１のブロック図）
図１は、外部記憶装置２０と、外部記憶装置２０接続用のコネクタを有した画像形成装置の制御構成を示すブロック図である。
【００１９】
図１において、外部記憶装置２０は、ＵＳＢ接続機能にて外部記憶装置接続Ｉ／Ｆ１４を介して画像形成装置に接続して画像形成装置１０の外部記憶手段として機能し、採取されたログ情報記録する。
【００２０】
画像形成装置１０は、ＣＰＵ１１、外部記憶装置接続Ｉ／Ｆ１４、ＲＡＭ１２、ＲＯＭ１３、画像形成部１５、操作パネルＩ／Ｆ１６にて構成される。
【００２１】
ＣＰＵ１１は、ＲＯＭ１３に記憶された画像形成装置１０の制御プログラムをＲＡＭ１２のメモリ領域にロードして実行することによって画像形成装置１０全体を制御する。
【００２２】
画像形成部１５は、画像形成装置１０がプリンタ、コピー等の複合機である場合は、画像読み取り制御、印刷ジョブの管理、印刷用紙へのプリント処理をＣＰＵ１１からバス経由で受信した制御信号によって制御し、画像形成部１５にて発生した各部のデバイスエラーをセンサ等によって検出してＣＰＵ１１に通知する。
【００２３】
操作パネルＩ／Ｆ１６は、操作パネル１７に接続し、操作パネル１７の操作パネル表示部への表示データの出力制御を行い、操作パネル１７の操作ボタンの入力を検出してＣＰＵ１１に出力する。
【００２４】
ＲＯＭ１３は、ログ採取条件管理テーブル１３１、ログ削除実施基準値１３２、プロセスＩＤ一覧１３３、処理区分一覧１３４、ログ採取プログラム１３６、ログ削除条件管理テーブル１３８、を記憶する。
【００２５】
ログ採取プログラム１３５は、ＣＰＵ１１が外部記憶装置接続Ｉ／Ｆ１４に接続されるとＣＰＵ１１にて実行され、画像形成装置１０の外部記憶手段として認識される。
【００２６】
プロセス管理プログラム１３５は、画像形成装置１０の制御に関する各種プログラムの起動停止を管理する。
【００２７】
プロセスＩＤ一覧１３３は、ＣＰＵ１１にて実行される各制御プログラムの識別情報を登録して管理するテーブルである。
【００２８】
処理区分一覧１３４は、プロセスＩＤ一覧１３３にて登録された、プロセスにおける処理の内容を識別として登録して管理するテーブル。
【００２９】
ログ削除条件管理テーブル１３８は、採取したログレコードが一定の数以上蓄積された時に、所定の条件で、削除対象となる既存のログレコードを特定するための検索条件が登録されたテーブルである。
【００３０】
ログ削除実施基準値１３２は、ログレコードを削除する際の判断基準となるしきい値である。
【００３１】
ログ採取条件管理テーブル１３１は、プロセスＩＤ一覧１３３に登録されたプロセスＩＤと、処理区分一覧１３４に登録された処理区分ＩＤとの組合せ毎に、ログ採取処理の実施の要否を設定して管理するテーブルである。
【００３２】
（ログ採取条件管理テーブル１３１）
図２は、ログ採取条件を設定して管理するログ採取条件管理テーブル１３１のデータ登録例である。
【００３３】
ログ採取条件管理テーブル１３１は、ログ採取の実施の要否を判断するための情報として、プロセスＩＤ、処理区分、採取フラグで構成される。
【００３４】
（プロセスＩＤ一覧１３３）
プロセスＩＤは、画像形成装置１０の各種制御プログラムの識別情報である。
【００３５】
例えば、図３のプロセスＩＤ一覧１３３に示すように、電源のＯＮ／ＯＦＦを検出して、画像形成装置１０の起動、停止を制御し、画像形成装置１０の稼動状態に応じて節電モードへの移行、停止を制御する「電源管理プロセス」、画像形成装置１０のプリンタ機能を提供する印刷ジョブ等を管理する「印刷ジョブ管理プロセス」、画像形成装置１０のデバイスエラーの発生を監視する「デバイスエラー監視プロセス」等がある。
【００３６】
また、図２において、処理区分は、図４に示すように各プロセスにおける制御の内容を識別するための処理識別情報であり、例えば、電源管理プロセスにおいては、電源ＯＮ、電源ＯＦＦ、節電モードへの移行、節電モードからの復帰等をそれぞれ設定して管理する。
【００３７】
ログ採取フラグは、ログ採取プロセスがログ採取の実施の要否を判断する情報であり、プロセスＩＤと処理区分の組合せ毎に設定して管理することが可能である。
【００３８】
これにより、各プロセスの処理区分のレベルで、ログ採取の要否を判断してログ採取を行うことができる。
【００３９】
なお、ログ採取条件管理テーブル１３１は、ログ採取方法によって、ログの採取条件の特定方法等は適宜変更可能である。
【００４０】
（ログ削除条件管理テーブル１３８）
図５は、採取したログのレコード数が所定値を超過した場合に、既存のログを削除する条件と、削除実施時の優先順位を設定して管理する例を示した表である。
【００４１】
ログ削除条件管理テーブル１３８は、削除条件ＩＤ、ログ削除条件、削除実施優先順位等で構成される。  
「削除条件ＩＤ」は、登録された削除条件に対して付与される識別情報である。
【００４２】
「ログ削除条件」は、採取したログレコードから削除対象となるレコードを特定するための情報が設定される。
【００４３】
よって、ログ削除条件に設定される情報は、ログレコードに記録される項目を指定して表現される。
【００４４】
例えば、図５において、削除条件ＩＤが「００１」の場合、プロセスＩＤが電源管理プロセスであり、電源ＯＮを検出した時に採取されたログレコードが削除対象となることを示しており、さらに、削除実施優先順位が最少値であるので、ログ削除処理においては、最優先にて削除対象となることを示す。
【００４５】
なお、ログ削除条件管理テーブル１３８の検索条件、登録レコードの有効無効、ログ削除条件、優先順位などの設定変更手段によって適宜変更するようにすることも可能である。
【００４６】
（ログ削除実施条件の例）
図６は、ログ削除処理の実施を判断するための基準値として、採取されたログレコードの総数にて表現されたしきい値を設定した例である。
【００４７】
ログ削除処理の実施条件は、ログ採取用のメモリ領域の有効利用を目的とするので、これ以外に、外部記憶装置２０における使用済み、未使用のメモリサイズ等をしきい値として設定しても良い。
【００４８】
（ログレコードの例）
図７に、採取されるログデータの例を示す
ログデータ２１に一回のログ採取処理の単位で記録されるログレコードは、ログＩＤ、プロセスＩＤ、処理区分、タイムスタンプ、採取データ等の情報にて構成される。
【００４９】
（ログ採取プロセスの起動停止制御）
図８は、ログ採取プロセスの起動停止制御の流れを示すフローチャートである。
【００５０】
画像形成装置１０のＣＰＵ１１は、外部記憶装置接続Ｉ／Ｆ１４に外部記憶装置２０が接続されたことを検出すると（Ｓ１０１でＹＥＳ）、ログ採取プロセスを起動する（Ｓ１０２）。
【００５１】
外部記憶装置２０が外部記憶装置接続Ｉ／Ｆ１４からの取り外しを検知した場合（Ｓ１０３でＹＥＳ）、ＣＰＵ１１は、ログ採取プロセスを停止する（Ｓ１０５）。
【００５２】
また、ログ採取プロセスの別の停止条件として、特定のプロセスＩＤ、処理区分に対応するログ採取要求が連続して発生した場合、ログ採取プロセスに対して、スケジュール機能によって停止する時期が設定されている場合（Ｓ１０４でＹＥＳ）においても、同様にログ採取プロセスを停止する（Ｓ１０５）。
【００５３】
（ログ採取処理）
図９は、ログ採取処理の第１の例を示すフローチャート。
【００５４】
ログ採取プロセスは、ログ採取条件管理テーブル１３１を参照し、プロセスＩＤ、処理区分に対応するログ採取フラグを読み取る（Ｓ２０１）。
【００５５】
読み取ったログ採取フラグがＯＮの場合（Ｓ２０２でＹＥＳ）、ログ情報を採取して外部記憶装置２０に書き込みを行う（Ｓ２０３）。
【００５６】
ログ採取処理が完了すると、ログレコード数を計算し（Ｓ２０４）、計算したログレコード数と、ログ削除実施基準値１３２と比較する（Ｓ２０５）。
【００５７】
レコード数がログ削除実施基準値１３２を超えた場合（Ｓ２０５でＹＥＳ）、ログ削除条件管理テーブル１３８から未チェックで優先順位の一番高いログ削除条件がある場合（Ｓ２０６でＹＥＳ）、ログ削除条件を取得する（Ｓ２０７）。
【００５８】
取得したログ削除条件に該当するログレコードがある場合は（Ｓ２０８でＹＥＳ）、ログレコードを削除し（Ｓ２０９）、削除後のログレコード数を再計算する（Ｓ２０４）。
【００５９】
再計算した結果、ログ削除実施基準値１３２以下となった場合は（Ｓ２０５でＮＯ）、削除処理を終了する。
【００６０】
ログ削除条件に該当するログレコードが無い場合（Ｓ２０８でＮＯ）でかつ、次の優先順位のログ削除条件がある場合（Ｓ２０６でＹＥＳ）、ログ削除条件を取得し（Ｓ２０７）、引き続き、該当するログの有無を判断してログ削除処理を繰り返して処理する。
【００６１】
全てのログ削除条件をチェックしてもログ削除実施基準値１３２以下とならない場合は（Ｓ２０６でＮＯ）、警告処理を行って（Ｓ２１０）ログ採取処理を終了する。
【００６２】
（ログ削除条件の段階的な設定および警告、対処処理の選択等の変形例）
なお、ログ削除条件として設定したしきい値を段階的に設けて、ログ採取処理を中止する前に警告する処理を行い、ログ採取用の容量に余裕がある間は、ログ採取処理を継続して処理するようにしても良い。
【実施例２】
【００６３】
（特定のプロセスの処理区分に対応するデバイスエラーが連続して発生した場合、所定回数以降のログ採取要求を無効にする制御）
次に、ログ採取処理の別の例として、特定のエラーが連続して発生した場合、所定回数以降のログ採取要求を無効にする例について説明する。
【００６４】
（実施例２の構成）
図１０は、本発明の画像形成装置の第２の制御構成を示すブロック図である。
【００６５】
図１０のブロック図において、画像形成装置１０は、ＲＯＭ１３に、ログ採取無効条件１４０を記憶して管理する。
【００６６】
ログ採取無効条件１４０は、連続して発生したログ採取要求に対し、特定のプロセスＩＤ、処理区分においては、連続発生要求以後のログ採取要求を無効にして、ログ採取要求イベントを廃棄する上限値を設定して管理する。
【００６７】
例えば、ログ採取無効条件１４０を、図６の（Ｃ）のような内容にて設定すると、画像処理装置のデバイスエラーのうち、特定のエラーコードに対しては、連続して３回以上発生した場合には、４回目以降の連続したログ採取要求は無効にすることができる。
【００６８】
なお、この連続発生した特定のログ採取要求が発生した場合は、上限数のログレコードを保持して、連続して記録した一番古いログレコードから順に削除するように処理しても良い。
【００６９】
（実施例２の処理フロー）
図１１は、ログ採取処理の第２の例を示すフローチャートである。
【００７０】
ログ採取プロセスは、ログ採取要求を行ったプロセスＩＤ、処理区分からログ採取フラグを読み取る（Ｓ３０１）。
【００７１】
ログ採取フラグがＯＮの場合（Ｓ３０２でＹＥＳ）、ログ採取プロセスは、ログ採取要求が、特定のプロセスＩＤ、処理区分からの連続したログ採取要求であるかを判断する（Ｓ３０３）。
【００７２】
特定のプロセスＩＤ、処理区分からの連続したログ採取要求である場合（Ｓ３０３でＹＥＳ）、連続回数をカウントしてＲＡＭ１２の連続回数一時記憶領域に記録する（Ｓ３０５）。
【００７３】
連続回数が所定の基準を超えた場合（Ｓ３０６でＹＥＳ）、ログ採取プロセスは、ログ採取を行わずに処理を終了する。
【００７４】
連続回数が所定の基準値以下の場合（Ｓ３０６でＮＯ）、ログ採取プロセスは、ログレコードを外部記憶装置２０に記録する（Ｓ３０４）。
【００７５】
プロセスＩＤ、処理区分が前回と同一でない場合（Ｓ３０３でＮＯ）、ログ採取プロセスは、ＲＡＭ１２に記録した連続回数の記録エリアをクリアしてログ採取を行う（Ｓ３０４）。
【実施例３】
【００７６】
（所定のログレコード数を単位として、ログ情報を圧縮する）
次に、採取したログレコードを、所定の単位で圧縮し、既存のログレコードを削除することなく外部記憶装置２０のログ採取エリアを最大限有効利用する構成について説明する。
【００７７】
図１２は、画像形成装置の第３の構成を示すブロック図である。
【００７８】
図１２において、画像形成装置１０は、作成したログデータ２１を圧縮するためのデータ圧縮プログラム１３７と、ログレコードを圧縮する単位および判断基準となるログデータ圧縮基準値１３９を画像形成装置１０のＲＯＭ１３にさらに記憶する。
【００７９】
この構成によって、採取したログレコードの総数が所定の数に達した時点で、ログレコード全体を圧縮した圧縮ファイル２１を作成し、所定のファイル名を付与して外部記憶装置２０に記録し、圧縮対象となったログデータ２１を外部記憶装置２０から削除する。  （圧縮処理の流れ）
図１３は、図１２に示した実施例３の構成におけるログ採取処理の流れを示すフローチャートである。
【００８０】
ログ採取プロセスは、ログ採取を要求したプロセスＩＤ、処理区分からログ採取条件管理テーブル１３１を参照して対応するログ採取フラグを読み出す（Ｓ４０１）。
【００８１】
ログ採取フラグがＯＮの場合（Ｓ４０２でＹＥＳ）、ログ採取プロセスは、ログ情報を、外部記憶装置２０に記録する（Ｓ４０３）。
【００８２】
ログ採取プロセスは、ログレコードの総数を計算し（Ｓ４０４）、ログデータ圧縮基準値１３９に到達したかを判断する（Ｓ４０５）。
【００８３】
ログデータ圧縮基準値１３９に到達した場合（Ｓ４０５でＹＥＳ）、ログ採取プロセスは、データ圧縮プログラム１３７に対して、所定のログレコード郡のデータを圧縮するよう指示し、ログデータ圧縮プログラム１３７は、ログレコード郡を圧縮したファイルを所定の命名形式にて作成したファイル名を付与して外部記録装置に出力する（Ｓ４０６）。  ログレコード郡の圧縮処理が完了すると、ログ採取プロセスは、既存のログレコード郡を外部記憶装置２０から削除する（Ｓ４０７）。
【００８４】
なお、圧縮対象となるレコード郡の通知方法は、ワークファイル等の一時的なデータに展開して通知する等、圧縮プログラムが処理可能な形式にて通知する。
【００８５】
また、圧縮したファイルの命名規則等は、圧縮されたログレコード郡が識別できるものであれば、ログ採取方法等に合わせて定義設定するものであり、本発明では、特に問わない。
【００８６】
以上が、本発明における画像形成装置の稼動記録装置およびログ情報収集方法の説明である。
【００８７】
なお、実施例１、実施例２、実施例３に示した画像形成装置においては、ログ採取プログラム１３５、ログ採取条件管理テーブル１３１、ログ削除条件管理テーブル１３８、削除実施基準値、圧縮基準値等を、画像形成装置の記憶手段に記録する構成としたが、これらのログ採取処理に関するプログラムおよび設定情報を外部記憶装置２０側に予め記憶し、ログ採取処理を実施する際に、画像形成装置側のＣＰＵ１１にて実行する構成にしても良い。
【００８８】
また、このログ採取条件管理テーブル１３１、ログ削除条件管理テーブル１３８、削除実施基準値、圧縮基準値など、本発明のログ採取処理に関連する設定情報のパラメータを、画像形成装置の操作パネル、もしくは、画像形成装置に接続可能な外部装置からの設定手段にてフラ変更する構成にしても良い。
【産業上の利用可能性】
【００８９】
本発明の画像形成装置および画像形成装置のログ情報収集方法は、外部装置の接続手段を有する画像形成装置であって、ログ情報の採取を行う為の記憶領域を本体に備えられた記憶手段に十分な容量を確保できない場合に利用可能である。
【図面の簡単な説明】
【００９０】
【図１】画像形成装置の第１の制御構成を示すブロック図。
【図２】ログ採取条件管理テーブルの例を示す表。
【図３】プロセスＩＤ管理テーブルの例を示す表。
【図４】処理区分一覧の例を示す表。
【図５】ログ削除条件管理テーブルの例を示す表。
【図６】ログ削除条件のしきい値、ログ圧縮条件、ログ採取無効条件のデータ例。
【図７】ログ採取情報の例を示すデータレイアウト図。
【図８】ログ採取プロセスの起動停止制御の例を示すフローチャート。
【図９】ログ採取処理の第１の例を示すフローチャート。
【図１０】本発明の画像形成装置の第２の制御構成を示すブロック図。
【図１１】ログ採取処理の第２の例を示すフローチャート。
【図１２】本発明の画像形成装置の第３の制御構成を示すブロック図。
【図１３】ログ採取処理の第３の例を示すフローチャート。
【符号の説明】
【００９１】
１０    画像形成装置
１１    ＣＰＵ
１２    ＲＡＭ
１３    ＲＯＭ
１３１    ログ採取条件管理テーブル
１３２    ログ削除実施基準値
１３３    プロセスＩＤ一覧
１３４    処理区分一覧
１３５    プロセス管理プログラム
１３６    ログ採取プログラム
１３７    データ圧縮プログラム
１３８    ログ削除条件管理テーブル
１３９    ログデータ圧縮基準値
１４０    ログ採取無効条件
１４    外部記憶装置接続Ｉ／Ｆ
１５    画像形成部
１６    操作パネルＩ／Ｆ
１７    操作パネル
２０    外部記憶装置
２１    ログデータ
２２    ログ圧縮ファイル
【図１】
2006094174.tif 000003
【図２】
2006094174.tif 000004
【図３】
2006094174.tif 000005
【図４】
2006094174.tif 000006
【図５】
2006094174.tif 000007
【図６】
2006094174.tif 000008
【図７】
2006094174.tif 000009
【図８】
2006094174.tif 000010
【図９】
2006094174.tif 000011
【図１０】
2006094174.tif 000012
【図１１】
2006094174.tif 000013
【図１２】
2006094174.tif 000014
【図１３】
2006094174.tif 000015